(57)【要約】      （修正有）【課題】スカリバッカン・エサバッカン・水汲みバケツ・小物類入れやリール等を入れることができるトレイを効率よく収納したキーパー機能付きクーラーボックスを提供する。【解決手段】釣り上げた大きい魚をキーパー機能付きクーラーボックス１２内に入れて泳がせるようにするためのサイズ（縦幅）とし、クーラーボックス１２外側設置のポケット１５に、キーパー機能のための器具（バッテリー付きエアーポンプ・パイプ１６）を装着し、クーラーボックス１２の内側にちょうど入るサイズのスカリバッカン４を作成し、スカリバッカン４に入るサイズのエサバッカン３を作成し、エサバッカン３に入るサイズの水汲みバケツ１を作成し、釣り用の糸・針・重り・浮き等を収納する小物類入れやリール等を入れるためのトレイ７をボックス１２の上部開口部にフック１１で装着できるように作成したキーパ機能付きクーラーボックス。【選択図】図１１
2016208953.tif 000002
【特許請求の範囲】
【請求項１】
釣り用小物類入れやリール等を入れてクーラーボックス上部に装着できるフック付きトレイ・水汲みバケツ・撒き餌入れ及びスカリバッカンを各収納できる、かつキーパー機能を設けた釣り用クーラーボックス。
【請求項２】
下記サイズの、請求項１に記載のクーラーボックス。（明細書［発明を実施するための形態］（イ）記載の各サイズに余裕ないし幅を持たせた。）
記
（イ）高さ    ３０センチメートルから６０センチメートルの間。
キーパー機能付きクーラーボックス内に入れて魚本来の姿で泳がせるようにする等のため検討した結果、効果的な高さ
（ロ）縦幅    ２０センチメートルから４０センチメートルの間。
キーパー機能付きクーラーボックス内に入れて魚本来の姿で泳がせるようにするとともに、移動の際の安全性確保のために検討した結果、効果的な縦幅
（ハ）横幅    ３８センチメートルから８０センチメートルの間。
縦幅を狭く設定したために検討した効果的な横幅
【発明の詳細な説明】
【技術分野】
【０００１】  この発明は、釣り用小物類入れ・リ−ル等を収納できるトレイを装着し、かつ水汲みバケツ・撒き餌入れ及びスカリバッカン（釣り上げた魚を入れて、海中に投入する上下が網製の入れ物）を各収納し、かつキーパー機能（ボックス内の海水にエアーポンプで空気を注入することにより、釣り上げた魚を生かしておくことができる機能）が付いた釣り用クーラーボックスである。
【背景技術】
【０００２】  従来、海釣りを行うために必要な道具等の入れ物としては、▲１▼釣り用の糸・針・重り・浮き等を収納する小物類入れ、▲２▼釣り上げた魚を生かすために必要な海水を汲み上げたり、魚や道具を洗ったりするための水汲みバケツ、▲３▼エサバッカン（魚をおびき寄せるために、海中に投入する撒き餌を入れておく撒き餌入れ）、及び▲４▼スカリバッカン（釣り上げた魚を入れて、海中に投入する網製の入れ物）が必要であるが、これらの道具入れ物４点全部を収納することができる、かつキーパー機能（ボックス内に入れた海水にエアーポンプのエアーを注入することにより、釣り上げた魚を生かしておくことができる機能）が付いた釣り用クーラーボックスは存在していなかった。（これらが単品、または、二・三結合している物は存在していたが、上記釣り道具入れ等４点が収納できるキーパー兼クーラーボックスは存在していなかった。）
【先行技術文献】
【０００３】  「特許情報プラットホーム」で検索しても、上記釣り道具入れ等４点が収納できるキーパー兼クーラーボックスは存在しなかった。
なお、インターネットの通販サイト等を調べても、上記釣り道具入れ等４点が収納できるキーパー兼クーラーボックスは存在しなかった。
【発明の概要】
【発明が解決しようとする課題】
【０００４】  これには次のような欠点があった。
（イ）従来、上記釣り道具入れ等４点、キーパー及びクーラーないしクーラーボックスが単品または二・三結合している物品の状態で、渡船の船首から釣り場（沖磯）に移動する際、または釣り場（沖磯）から渡船の船首に移動する際には、道具が効果的に収納できず、荷物がかさ張る結果、安全性に問題があった（釣り人の生命・身体に対する危険や荷物損傷の虞があった。）
（ロ）従来、キーパー（ボックス内に入れた海水にエアーポンプで空気を注入することにより、釣り上げた魚をボックス内に入れて生かしておくことができるボックス）・クーラーないしクーラーボックスの縦幅は十分検討して設定されず狭くなかった結果、渡船の船首から釣り場（沖磯）に移動する際、または釣り場（沖磯）から渡船の船首に移動する際には、キーパー・クーラーないしクーラーボックスが釣り場（沖磯）の岩等に当り、人の生命・身体に対する危険や荷物損傷の虞があった。（クーラーボックス等の縦幅が狭い方が重心が体に近く、安全に移動できる。）
（ハ）従来、キーパーの高さを十分計算して確保していなかった結果、大きな魚を釣り上げたときは、これを横にしてキーパー内に入れる他なく、魚本来の姿でキーパー内で泳がせることができない（扁平なヒラメ・カレイを除く）ので、魚にストレスがたまり、その鮮度や旨味が確保しにくいという問題があった。
（ニ）従来、釣り用の糸・針・重り・浮き等を収納する小物類入れやリールは、キーパー・クーラーまたはクーラーボックスに装着できなかった結果、当該小物入れやリールを効率的に使用できなかったり、当該小物入れやリールの所在が分からず困ったりすることがあった。
（ホ）従来、小物類入れやリールは、クーラーボックスの上部開口部にフックで装着したトレイの中に収納できなかった結果、キーパー機能付きクーラーボックス内で、釣り上げた魚を生かしながら、トレイ内の小物類入れやリールを使用することができず、効率的な作業ができなかった。
本発明は、以上のような欠点をなくすためになされたものである。
【課題を解決するための手段】
【０００５】（イ）釣り上げた大きい魚をキーパー機能付きクーラーボックス内に入れて  魚本来の姿で泳がせるようにするため、クーラーボックスのサイズ（高さ）を検討し、他方、移動の際の安全性確保のためのクーラーボックスのサイズ（縦幅）を検討したクーラーボックスの作成
（ロ）キーパー機能のための器具（バッテリー付エアーポンプ・パイプ）の設置
（ハ）上記クーラーボックスの内側にちょうど入るサイズの、スカリバッカン  の作成
（ニ）上記スカリバッカンの内側に入るサイズの、エサバッカンの作成
（ホ）上記エサバッカンの内側に入るサイズの、水汲みバケツの作成
（ヘ）▲１▼釣り用の糸・針・重り・浮き等を収納する小物類入れ、▲２▼リール、▲３▼弁当等を入れるため、上記クーラーボックスの上部開口部にフックで装着できる、トレイの作成
本発明は、以上の構成よりなる、釣り道具入れ等収納のキーパー機能付クーラーボックスである。
【発明の効果】
【０００６】（イ）キーパー機能付きクーラーボックス内に、スカリバッカン・エサバッカン・水汲みバケツ・小物類入れやリール等を入れることができるトレイを効率よく収納したので、荷物がかさ張らず、渡船の際の危険性を低減することができた。（釣り人の生命・身体に対する危険や荷物損傷の虞が減少した。）
（ロ）クーラーボックスの縦幅を検討して狭く設定したので、渡船の際、クーラーボックスが釣り場（沖磯）の岩等に当り、人の生命・身体に対する危険や荷物損傷の虞を低減することができた。
（ハ）キーパー機能付きクーラーボックスの高さを十分計算して確保したので、大きな魚（扁平なヒラメ・カレイを除く）を釣り上げたときでも、魚本来の姿でボックス内にて泳がせることができ、その結果、魚にストレスがたまらず、鮮度や旨味が確保できるようになった。
（ニ）釣り用の糸・針・重り・浮き等を収納する小物類入れやリールは、クーラーボックスの上部開口部にフックで装着できるトレイ内に入れることができるので、当該小物入れやリールを使用する際に効率的に使用したり、当該小物入れやリールの所在が分かり、探す手間が省けることができるようになった。
（ホ）小物類入れやリールは、クーラーボックスの上部開口部にフックで装着したトレイの中に収納できるので、キーパー機能付きクーラーボックス内で、釣り上げた魚を生かしながら、トレイ内の小物類入れやリールを使用することができるようになった。
【図面の簡単な説明】
【０００７】
【図１】  本発明を構成する水汲みバケツの斜視図である。
【図２】  本発明を構成するエサバッカンの斜視図である。
【図３】  本発明を構成するスカリバッカンの斜視図である。
【図４】  本発明を構成するフック付きトレイ及びその蓋の斜視図である。
【図５】  図４のフック付きトレイをクーラーボックスの上部開口部に装着した状態の斜視図である。
【図６】  図４のフック付きトレイ及びその蓋をクーラーボックスの上部開口部に装着した状態の斜視図である。
【図７】  図４のフック付きトレイ及びその蓋をクーラーボックスの上部開口部に装着した状態の断面図である。（なお、クーラーボックスの蓋は半分開いている。）
【図８】  図４のフック付きトレイ及びその蓋をクーラーボックスの上部開口部に装着した状態の断面図（図７）の拡大図である。
【図９】  本発明を構成するクーラーボックス及びその蓋の斜視図である。
【図１０】  本発明を構成するキーパー機能のための器具（バッテリー付エアーポンプ・パイプ）の斜視図である。
【図１１】  本発明を構成する水汲みバケツ（図１）をエサバッカン（図２）に収納し、これをスカリバッカン（図３）に収納し、これをクーラーボックス（図７）に収納し、このクーラーボックスの上部開口部にフック付きトレイ及びその蓋（図４）を装着し、クーラーボックスの外側側面のポケット部分にバッテリー付きエアーポンプ（図８）を装着し、クーラーボックスの蓋を閉めた状態の斜視図（組立方法が分かる全体図）である。
【発明を実施するための形態】
【０００８】以下、本発明を実施するための形態について説明する。
（イ）クーラーボックスの作成
釣り用クーラーないしクーラーボックスは、釣り上げた魚を氷詰めして持ち帰るケース（入れ物）であるが、後記のとおり、これにキーパー機能を付加し、釣り上げた大きい魚をクーラーボックス内に入れて魚本来の姿で泳がせるようにするため、クーラーボックスのサイズ（高さ）を検討する。
磯釣りで釣り上げられる魚は、真鯛・石鯛・石垣鯛・グレなど様々であるが、その大きなサイズをクーラーボックス内に入れて魚本来の姿で泳がせるようにするためには、クーラーボックスの底辺から水面まで２５センチメートル位は必要で、さらに、後記のとおり、クーラーボックスの上部には小物類入れ・リール・弁当等を入れることができるトレイを装着するので、このトレイ分として、９センチメートル位は必要である。また、クーラーボックス内の水面と上記トレイ底面との間には３センチメートル位の余裕分が必要である。また、クーラーボックスの底面（断熱材）として、１センチメートル位、クーラーボックスの上面として、０・５センチメートル位が必要である。
よって、上記各高さを合計すると、クーラーボックスの高さは３８・５センチメートル位は必要である。
次に、釣り用クーラーないしクーラーボックスに、キーパー機能を付加し、釣り上げた大きい魚をクーラーボックス内に入れて魚本来の姿で泳がせることができるようにするため、他方、移動の際の安全性確保のためのクーラーボックスのサイズ（縦幅）を検討する。
移動の際の安全性確保のためだけであればクーラーボックスの縦幅は出来る限り少ない（狭い）方がよいが、他方、上記のように釣り上げた魚をクーラーボックス内に入れて魚本来の姿で泳がせるためには、その魚を１５匹位と想定すると、クーラーボックスの縦幅は３０センチメートル位が相当と思料される。
このように安全性確保の見地から縦幅は３０センチメートル位と狭めに設定する関係で、横幅は長めの５０センチメートル位が相当と思料される。
なお、クーラーボックスの外側は、軽くて丈夫なＥＶＡ素材が相当であるが、その他グラスファイバー・アルミ等軽くて丈夫な素材でもよいと思料される。
以上、高さは３８・５センチメートル位・縦幅は３０センチメートル位・横幅は５０センチメートル位のクーラーボックスを作成する。
（ロ）キーパー機能のための器具の設置
釣り上げた魚をクーラーボックス内に入れた海水の中で泳がせるようにするため、充電可能な電池式バッテリー付エアーポンプをクーラーボックス外側側面に設置したポケット部分に装着し、同エアーポンプに付着させたパイプをクーラーボックス側面に設置された穴に通して、クーラーボックス内の海水に空気を注入する。
また、釣り場（沖磯）から渡船し陸に上がった際は、クーラーボックス内の海水を抜いて、釣り上げた魚を締め（血抜きし）、氷詰めするため、クーラーボックス内に水抜き用の栓を取り付ける。
さらに、栓は、紛失に備え、ペットボトル用の栓と同じサイズ・形状とする。
（ハ）スカリバッカンの作成
スカリバッカン、すなわち、釣り上げた魚を入れて、海中に投入し、魚を生かすようにする入れ物で、上下は網製、側面はＥＶＡ素材等軽くて丈夫な素材で作成する。（スカリバッカンの中にエサバッカンを収納するため、スカリバッカンは自立する必要があり、そのため側面は網ではなく、ＥＶＡ素材等軽くて丈夫な素材で作成する。）
そのサイズは、収納効率を考え、上記クーラーボックスの内側にちょうど入るサイズとする。
（ニ）エサバッカンの作成
エサバッカン、すなわち、魚をおびき寄せるために、海中に投入する撒き餌を入れておく撒き餌入れで、底面及び側面はＥＶＡ素材等軽くて丈夫な素材で作成する。
そのサイズは、収納効率を考え、上記スカリバッカンの内側に入るサイズとする。
（ホ）水汲みバケツの作成
釣り上げた魚を生かすために必要な海水を汲み上げたり、魚や道具を  洗ったりするための水汲みバケツは、収納効率を考え、上記エサバッカンの内側に入るサイズとする。
（ヘ）トレイの作成
上記クーラーボックスの上部開口部の端とこれに対向する端に架橋し、かつフック留めして装着することができるトレイを作成する。
このトレイ内に、▲１▼釣り用の糸・針・重り・浮き等を収納する小物類入れ、▲２▼  リール、▲３▼弁当等を入れるものとする。
（ト）組み立て
上記クーラーボックス外側側面に設置したポケット部分にバッテリー付エアーポンプを装着する。
次に、クーラーボックス内に、スカリバッカンを設置する。
次に、設置したスカリバッカンの中に、エサバッカンを設置する。
次に、設置したエサバッカンの中に、水汲みバケツを設置する。
そして、トレイをクーラーボックスの上部開口部に架橋し、フック留めして装着する。
トレイ内に、小物類入れ・リール等を入れる。
最後に、クーラーボックスの蓋をする。
このように組み立てて、移動可能な状態となる。
本発明は、以上のような構造である。
これを使用するときは、釣り場（沖磯）に移動した後、
（イ）クーラーボックスの蓋を開け、
（ロ）フック留めして装着したトレイを一旦外し、
（ハ）クーラーボックス内に設置してある、水汲みバケツエサバッカン及びスカリバッカンを取り出し、
（ニ）一旦外したトレイを再度クーラーボックスにフック留めして装着し、
（ホ）トレイ内からリール・小物類入れを取り出して、竿にリールを取り付けて、リールに巻いている糸に針等を装着して、釣りの準備をして、
（ヘ）エサバッカン内の撒き餌を撒いて、釣りを行い、
（ト）魚を釣り上げたときは、スカリバッカンに釣り上げた魚を入れて、海中に投入して魚を生かせておくか、又は、水汲みバケツで汲みとった海水をクーラーボックス内に入れ、クーラーボックス外側側面のポケット部分に装着しているバッテリー付エアーポンプにパイプを付着させ、このパイプをクーラーボックス側面に設置された穴に通して、クーラーボックス内の海水に空気を注入して、魚を生かせておく。
（チ）釣りが終了し、釣り場（沖磯）から渡船し陸に上がった際は、（上記キーパー機能を使用したときは、クーラーボックス付着の栓を外してボックス内の海水を抜き、）クーラーボックス内にスカリバッカンを元に戻し、釣り上げた魚を締め（血抜きし）て氷詰めし、トレイを再度クーラーボックスにフック留めして装着し、クーラーボックスの蓋を閉めて持ち帰る。
（リ）なお、石鯛用のエサとして生きウニを使用する場合には、海水をクーラーボックス内に入れ、クーラーボックス外側側面のポケット部分に装着しているバッテリー付エアーポンプにパイプを付着させ、このパイプをクーラーボックス側面に設置された穴に通して、クーラーボックス内の海水に空気を注入して、生きウニを生かせておくという応用も可能である。
【符号の説明】
【０００９】  １    水汲みバケツ本体
２    水汲みバケツ付属の紐
３    エサバッカン本体
４    スカリバッカン本体
５    スカリバッカンの網
６    魚の投入口
７    トレイ本体
８    トレイの蓋
９    トレイの蓋の取っ手
１０  トレイのファスナー
１１  フック
１２  クーラーボックス本体
１３  クーラーボックスの蓋
１４  クーラーボックスのファスナー
１５  ポケット
１６  バッテリー付エアーポンプ
１７  パイプ
１８  パイプ用穴
【図１】
2016208953.tif 000003
【図２】
2016208953.tif 000004
【図３】
2016208953.tif 000005
【図４】
2016208953.tif 000006
【図５】
2016208953.tif 000007
【図６】
2016208953.tif 000008
【図７】
2016208953.tif 000009
【図８】
2016208953.tif 000010
【図９】
2016208953.tif 000011
【図１０】
2016208953.tif 000012
【図１１】
2016208953.tif 000013